(57)【要約】【課題】通信機能を備えた消費電力計測装置が計測した消費電力量の情報が直接送信されてくる電力管理装置のシステムにおいて、電力の供給を受ける条件を変更する手続きを支援する電力管理装置、電力管理システム、端末装置、電力管理方法、およびプログラムを提供する。【解決手段】通信機能を具備し公衆電力網と接続された消費電力計測装置から消費電力量を表す消費電力量情報を取得する消費電力量情報取得部と、移転に伴う指示を受け付けるユーザーインタフェースを表示装置に出力する手続き支援部と、を備える。【選択図】図２
2016077080.tif 000002
【特許請求の範囲】
【請求項１】
通信機能を具備し公衆電力網と接続された消費電力計測装置から消費電力量を表す消費電力量情報を取得する消費電力量情報取得部と、
移転に伴う指示を受け付けるユーザーインタフェースを表示装置に出力する手続き支援部と、
を備える電力管理装置。
【請求項２】
電力の供給条件毎の料金体系を表す契約料金情報を取得する契約料金情報取得部と、
前記供給条件毎の前記契約料金情報に基づいて、前記消費電力量情報が表す前記消費電力量に応じた電気料金を表す電気料金情報に変換し、該変換した前記電気料金情報を前記表示装置に出力する変換処理部と、
をさらに備え、
前記手続き支援部は、
前記移転に伴って入力された契約変更の指示、および電力の供給に係る契約に関して前記移転に伴って変更される条件を表す移転条件情報に基づいて、現在の供給条件に係る契約の廃止を表す契約廃止申込情報、および移転先における新たな供給条件に係る契約の開始を表す新規契約申込情報をそれぞれの供給条件に係るサーバ装置に送信する、
請求項１に記載の電力管理装置。
【請求項３】
前記手続き支援部は、
前記契約変更の指示に応じて、前記契約廃止申込情報と前記新規契約申込情報とを送信する、
請求項２に記載の電力管理装置。
【請求項４】
前記手続き支援部は、
前記移転条件情報を参照して現在の供給条件による電力の供給の終了条件に基づく前記契約廃止申込情報と、
新たな供給条件による電力の供給の開始条件に基づく前記新規契約申込情報とを生成する、
請求項３に記載の電力管理装置。
【請求項５】
前記契約料金情報取得部は、
既契約の供給条件に係る料金体系を表す移転前契約料金情報と、未契約の供給条件に係る料金体系を表す移転後契約料金情報とを取得し、
前記手続き支援部は、
現在の供給条件に係る契約と新たな供給条件に係る契約とが成立した後、前記契約料金情報取得部による前記契約料金情報の取得先を、前記移転前契約料金情報に係るサーバ装置から、前記移転後契約料金情報に係るサーバ装置に変更する、
請求項４に記載の電力管理装置。
【請求項６】
当該電力管理装置は、
前記契約料金情報取得部が前記契約料金情報の取得先を変更後、契約の変更が完了したことを表す通知を前記表示装置に出力する、
請求項５に記載の電力管理装置。
【請求項７】
通信機能を具備し公衆電力網と接続された消費電力計測装置から消費電力量を表す消費電力量情報を取得する消費電力量情報取得部と、
移転に伴う指示を受け付けるユーザーインタフェースを表示装置に出力する手続き支援部と、
を備える電力管理システム。
【請求項８】
電力の供給条件毎の料金体系を表す契約料金情報を取得する契約料金情報取得部と、
前記供給条件毎の前記契約料金情報に基づいて、前記消費電力量情報が表す前記消費電力量に応じた電気料金を表す電気料金情報に変換し、該変換した前記電気料金情報を前記表示装置に出力する変換処理部と、
をさらに備え、
前記手続き支援部は、
前記移転に伴って入力された契約変更の指示、および電力の供給に係る契約に関して前記移転に伴って変更される条件を表す移転条件情報に基づいて、現在の供給条件に係る契約の廃止を表す契約廃止申込情報、および移転先における新たな供給条件に係る契約の開始を表す新規契約申込情報をそれぞれの供給条件に係るサーバ装置に送信する、
請求項７に記載の電力管理システム。
【請求項９】
請求項７または請求項８に記載の電力管理システムに用いる端末装置であって、
前記表示装置、
を備える端末装置。
【請求項１０】
通信機能を具備し公衆電力網と接続された消費電力計測装置から消費電力量を表す消費電力量情報を取得する消費電力量情報取得ステップと、
移転に伴う指示を受け付けるユーザーインタフェースを表示装置に出力する手続き支援ステップと、
を含む電力管理方法。
【請求項１１】
電力の供給条件毎の料金体系を表す契約料金情報を取得する契約料金情報取得ステップと、
前記供給条件毎の前記契約料金情報に基づいて、前記消費電力量情報が表す前記消費電力量に応じた電気料金を表す電気料金情報に変換し、該変換した前記電気料金情報を前記表示装置に出力する変換処理ステップと、
をさらに含み、
前記手続き支援ステップは、
前記移転に伴って入力された契約変更の指示、および電力の供給に係る契約に関して前記移転に伴って変更される条件を表す移転条件情報に基づいて、現在の供給条件に係る契約の廃止を表す契約廃止申込情報、および移転先における新たな供給条件に係る契約の開始を表す新規契約申込情報をそれぞれの供給条件に係るサーバ装置に送信する、
請求項１０に記載の電力管理方法。
【請求項１２】
通信機能を具備し公衆電力網と接続された消費電力計測装置から消費電力量を表す消費電力量情報を取得する消費電力量情報取得ステップと、
移転に伴う指示を受け付けるユーザーインタフェースを表示装置に出力する手続き支援ステップと、
をコンピュータに実行させるプログラム。
【請求項１３】
電力の供給条件毎の料金体系を表す契約料金情報を取得する契約料金情報取得ステップと、
前記供給条件毎の前記契約料金情報に基づいて、前記消費電力量情報が表す前記消費電力量に応じた電気料金を表す電気料金情報に変換し、該変換した前記電気料金情報を前記表示装置に出力する変換処理ステップと、
をさらに含み、
前記手続き支援ステップは、
前記移転に伴って入力された契約変更の指示、および電力の供給に係る契約に関して前記移転に伴って変更される条件を表す移転条件情報に基づいて、現在の供給条件に係る契約の廃止を表す契約廃止申込情報、および移転先における新たな供給条件に係る契約の開始を表す新規契約申込情報をそれぞれの供給条件に係るサーバ装置に送信する処理、
をコンピュータに実行させる請求項１２に記載のプログラム。
【発明の詳細な説明】
【技術分野】
【０００１】
本発明は、電力管理装置、電力管理システム、端末装置、電力管理方法、およびプログラムに関する。
【背景技術】
【０００２】
従来から、電力を使用する顧客であるそれぞれの需要家毎に、消費した電力量（以下、「消費電力量」という）を計測する消費電力計測装置が設置されている。また、近年では、スマートメーターといわれる、通信機能を備えた消費電力計測装置の設置（導入）も進んでいる。スマートメーターは、需要家が消費した消費電力量を計測し、計測した消費電力量を表す情報（以下、「消費電力量情報」という）を、通信機能によって、需要家に電力を供給している電力事業者に送信する。これにより、電力事業者は、従来のように、消費電力計測装置のメータを確認する検針員がそれぞれの需要家のところに出向くことなく、需要家が消費した電力量などの情報を取得することができ、需要家に対して電気料金などの請求を行うことができる。
【０００３】
また、近年では、スマートメーターに備えた通信機能を用いて、スマートメーターが計測した消費電力量情報を、例えば、需要家が使用しているＨＥＭＳ（Ｈｏｍｅ  Ｅｎｅｒｇｙ  Ｍａｎａｇｅｍｅｎｔ  Ｓｙｓｔｅｍ）などの電力管理装置に送信することも行われている。これにより、需要家は、過去に消費した消費電力量や現在消費している消費電力量を容易に知ることができる。
【０００４】
ここで、スマートメーターが計測した消費電力量情報を需要家に送信（提示）する経路について説明する。図１５は、スマートメーターを利用したエネルギー管理システムの構成を模式的に示した図である。図１５に示したように、需要家は、スマートメーターが計測した消費電力量情報を、以下のような３つの通信経路によって取得し、確認することができる。
【０００５】
１つ目の経路は、消費電力量情報を、スマートメーター、電力事業者、ホームゲートウェイ（ＨＧＷ：Ｈｏｍｅ  Ｇａｔｅｗａｙ）、電力管理装置（ＨＥＭＳ）の順に送信するＡルートである。Ａルートにおける通信では、例えば、電力線を通信回線として利用する、いわゆる、ＰＬＣ（Ｐｏｗｅｒ  Ｌｉｎｅ  Ｃｏｍｍｕｎｉｃａｔｉｏｎｓ）通信などによって構築された電力事業者の専用の通信ネットワークと、電力事業者のクラウドサーバとを利用して、スマートメーターが計測した消費電力量情報を電力管理装置（ＨＥＭＳ）に送信する。より具体的には、まず、スマートメーターが、計測した消費電力量情報を、専用の通信ネットワークを利用した通信機能によって電力事業者に送信し、電力事業者が、スマートメーターから送信された消費電力量情報を、インターネット上のクラウドサーバから公衆の通信ネットワークを利用して需要家に設置されたホームゲートウェイ（ＨＧＷ）に送信する。そして、ホームゲートウェイ（ＨＧＷ）が、受信した消費電力量情報を、需要家の家庭内に構築された無線通信などによって、電力管理装置（ＨＥＭＳ）に送信する。
【０００６】
また、２つ目の経路は、消費電力量情報を、スマートメーターから電力管理装置（ＨＥＭＳ）に直接送信するＢルートである。Ｂルートにおける通信では、専用の通信ネットワークや無線通信などを利用して、スマートメーターが計測した消費電力量情報を電力管理装置（ＨＥＭＳ）に送信する。
【０００７】
また、３つ目の経路は、消費電力量情報を、スマートメーター、第三者、ホームゲートウェイ（ＨＧＷ）、電力管理装置（ＨＥＭＳ）の順に送信するＣルートである。Ｃルートにおける通信では、例えば、インターネット上のウェブサービス（Ｗｅｂサービス）などの公衆の通信ネットワークを利用して、スマートメーターが計測した消費電力量情報を電力管理装置（ＨＥＭＳ）に送信する。より具体的には、まず、スマートメーターが、計測した消費電力量情報を、公衆の通信ネットワークを利用した通信機能によって民間企業などの第三者に送信し、第三者が、スマートメーターから送信された消費電力量情報を、公衆の通信ネットワークを利用して需要家によって設置されたホームゲートウェイ（ＨＧＷ）に送信する。そして、ホームゲートウェイ（ＨＧＷ）が、受信した消費電力量情報を、無線通信などによって、電力管理装置（ＨＥＭＳ）に送信する。
【０００８】
上述したいずれかの経路によって消費電力量情報を受信した電力管理装置（ＨＥＭＳ）は、需要家が契約している電力事業者の料金体系の情報に基づいて、受信した消費電力量情報を需要家がわかりやすい電気料金などの情報に変換する。そして、電力管理装置（ＨＥＭＳ）は、無線通信などによって、変換した電気料金などの情報を、需要家が使用するパーソナルコンピュータ（ＰＣ）や、いわゆる、スマートフォンやタブレット端末などの携帯通信端末に送信する。これにより、需要家は、パーソナルコンピュータ（ＰＣ）や携帯通信端末に受信した電気料金などの情報を表示させることによって、過去に消費した消費電力量や現在消費している消費電力量を確認することができる。
【０００９】
また、近年では、電力規制の緩和によって、需要家が電力の供給を受ける電力事業者を選択することができる電力の自由化が進んできている。そして、この電力自由化に対応した様々な技術が提案され、開示されている。例えば、特許文献１に開示された技術は、複数の電力会社の料金体系と需要家が電力を使用する条件とに基づいて比較したそれぞれの電力会社の電気料金を提示することによって、需要家による電力会社の選択を支援するシステムに関する技術である。また、例えば、特許文献２に開示された技術は、複数の電力会社の電気料金を予め調査して、電気料金の安い電力会社から電力を購入し、契約している需要家に小売するシステムに関する技術である。また、例えば、特許文献３に開示された技術は、電力会社が提供する複数の料金体系の中から需要家が任意の料金体系を選択するシステムに関する技術である。また、例えば、特許文献４に開示された技術は、スマートメーターが計測した消費電力量と送信された消費電力量情報とが一致するように補正する電力管理装置に関する技術である。
【先行技術文献】
【特許文献】
【００１０】
【特許文献１】特開２０００−０７８７４７号公報
【特許文献２】特開２００３−０２２３０１号公報
【特許文献３】特開２０１１−１３５７４６号公報
【特許文献４】特開２０１３−２４０１３１号公報
【発明の概要】
【発明が解決しようとする課題】
【００１１】
ところで、近年、スマートメーターの活用促進のための環境整備の一環として、スマートメーターから電力管理装置（ＨＥＭＳ）への消費電力量情報の送信において、Ｂルートを用いることが求められている。しかしながら、特許文献１〜４に開示された技術では、消費電力量情報をスマートメーターから電力管理装置（ＨＥＭＳ）に直接送信するＢルートが使用されていない。
【００１２】
ここで、電力管理装置（ＨＥＭＳ）にＢルートで消費電力量情報を送信した場合には、電力管理装置（ＨＥＭＳ）は、需要家が契約している電力事業者の料金体系の情報がないと、受信した消費電力量情報に応じた電気料金などの情報に変換することができない。また、スマートメーターは、需要家が契約している電力事業者の情報などを必ずしも保持せず、需要家が電力の供給を受ける電力事業者を変更する手続きを行った場合でも、スマートメーターが変更されずに引き続き利用されることもある。そして、電力管理装置（ＨＥＭＳ）は、Ｂルートによってスマートメーターから直接送信されてきた消費電力量情報からでは、電力事業者の変更や、需要家が契約している料金体系などを検知することができない。
【００１３】
このため、需要家は、引っ越しなどによって移転し、電力の供給を受ける電力事業者を変更する際には、現在契約している電力事業者に対する解約の手続きや、新たな電力事業者との新規契約の手続きを行うと共に、電力管理装置（ＨＥＭＳ）の初期化などの作業も行って、契約を変更した電力事業者の料金体系の情報などを設定する必要がある。また、同じ電力事業者の営業範囲内に移転した場合であっても、すなわち、電力の供給を受ける電力事業者の変更を行わない場合であっても、現在契約している電力事業者に対する移転の手続きと共に、電力管理装置（ＨＥＭＳ）の初期化などの作業を行う必要がある。また、電力管理装置（ＨＥＭＳ）が、Ｂルートで受信した消費電力量情報を電気料金などの情報に変換するために、需要家が契約している電力事業者の料金体系の情報を、例えば、電力事業者の電力料金サーバから取得している場合であっても、需要家は、料金体系の情報の取得元の電力料金サーバを変更する作業を行う必要がある。この電力の供給を受ける電力事業者の変更に伴う手続きや電力管理装置（ＨＥＭＳ）の初期化などの作業は、需要家にとって煩雑な作業である。
【００１４】
本発明は、上記の課題に基づいてなされたものであり、通信機能を備えた消費電力計測装置が計測した消費電力量の情報が直接送信されてくる電力管理装置のシステムにおいて、電力の供給を受ける条件を変更する手続きを支援する電力管理装置、電力管理システム、端末装置、電力管理方法、およびプログラムを提供することを目的としている。
【課題を解決するための手段】
【００１５】
上記の課題を解決するため、本発明の電力管理装置は、通信機能を具備し公衆電力網と接続された消費電力計測装置から消費電力量を表す消費電力量情報を取得する消費電力量情報取得部と、移転に伴う指示を受け付けるユーザーインタフェースを表示装置に表示させる手続き支援部と、を備える。
【００１６】
また、本発明の電力管理装置は、電力の供給条件毎の料金体系を表す契約料金情報を取得する契約料金情報取得部と、前記供給条件毎の前記契約料金情報に基づいて、前記消費電力量情報が表す前記消費電力量に応じた電気料金を表す電気料金情報に変換し、該変換した前記電気料金情報を前記表示装置に出力する変換処理部と、をさらに備え、前記手続き支援部は、前記移転に伴って入力された契約変更の指示、および電力の供給に係る契約に関して前記移転に伴って変更される条件を表す移転条件情報に基づいて、現在の供給条件に係る契約の廃止を表す契約廃止申込情報、および移転先における新たな供給条件に係る契約の開始を表す新規契約申込情報をそれぞれの供給条件に係るサーバ装置に送信する。
【００１７】
また、本発明の電力管理装置における前記手続き支援部は、前記契約変更の指示に応じて、前記契約廃止申込情報と前記新規契約申込情報とを送信する。
【００１８】
また、本発明の電力管理装置における前記手続き支援部は、前記移転条件情報を参照して現在の供給条件による電力の供給の終了条件に基づく前記契約廃止申込情報と、新たな供給条件による電力の供給の開始条件に基づく前記新規契約申込情報とを生成する。
【００１９】
また、本発明の電力管理装置における前記契約料金情報取得部は、既契約の供給条件に係る料金体系を表す移転前契約料金情報と、未契約の供給条件に係る料金体系を表す移転後契約料金情報とを取得し、前記手続き支援部は、現在の供給条件に係る契約と新たな供給条件に係る契約とが成立した後、前記契約料金情報取得部による前記契約料金情報の取得先を、前記移転前契約料金情報に係るサーバ装置から、前記移転後契約料金情報に係るサーバ装置に変更する。
【００２０】
また、本発明の電力管理装置は、前記契約料金情報取得部が前記契約料金情報の取得先を変更後、契約の変更が完了したことを表す通知を前記表示装置に表示させる。
【００２１】
また、本発明の電力管理システムは、通信機能を具備し公衆電力網と接続された消費電力計測装置から消費電力量を表す消費電力量情報を取得する消費電力量情報取得部と、移転に伴う指示を受け付けるユーザーインタフェースを表示装置に表示させる手続き支援部と、を備える。
【００２２】
また、本発明の電力管理システムは、電力の供給条件毎の料金体系を表す契約料金情報を取得する契約料金情報取得部と、前記供給条件毎の前記契約料金情報に基づいて、前記消費電力量情報が表す前記消費電力量に応じた電気料金を表す電気料金情報に変換し、該変換した前記電気料金情報を前記表示装置に出力する変換処理部と、をさらに備え、前記手続き支援部は、前記移転に伴って入力された契約変更の指示、および電力の供給に係る契約に関して前記移転に伴って変更される条件を表す移転条件情報に基づいて、現在の供給条件に係る契約の廃止を表す契約廃止申込情報、および移転先における新たな供給条件に係る契約の開始を表す新規契約申込情報をそれぞれの供給条件に係るサーバ装置に送信する。
【００２３】
また、本発明の端末装置は、上記本発明の電力管理システムに用いる端末装置であって、前記表示装置、を備える。
【００２４】
また、本発明の電力管理方法は、通信機能を具備し公衆電力網と接続された消費電力計測装置から消費電力量を表す消費電力量情報を取得する消費電力量情報取得ステップと、移転に伴う指示を受け付けるユーザーインタフェースを表示装置に表示させる手続き支援ステップと、を含む。
【００２５】
また、本発明の電力管理方法は、電力の供給条件毎の料金体系を表す契約料金情報を取得する契約料金情報取得ステップと、前記供給条件毎の前記契約料金情報に基づいて、前記消費電力量情報が表す前記消費電力量に応じた電気料金を表す電気料金情報に変換し、該変換した前記電気料金情報を前記表示装置に出力する変換処理ステップと、をさらに含み、前記手続き支援ステップは、前記移転に伴って入力された契約変更の指示、および電力の供給に係る契約に関して前記移転に伴って変更される条件を表す移転条件情報に基づいて、現在の供給条件に係る契約の廃止を表す契約廃止申込情報、および移転先における新たな供給条件に係る契約の開始を表す新規契約申込情報をそれぞれの供給条件に係るサーバ装置に送信する。
【００２６】
また、本発明のプログラムは、通信機能を具備し公衆電力網と接続された消費電力計測装置から消費電力量を表す消費電力量情報を取得する消費電力量情報取得ステップと、移転に伴う指示を受け付けるユーザーインタフェースを表示装置に表示させる手続き支援ステップと、をコンピュータに実行させる。
【００２７】
また、本発明のプログラムは、電力の供給条件毎の料金体系を表す契約料金情報を取得する契約料金情報取得ステップと、前記供給条件毎の前記契約料金情報に基づいて、前記消費電力量情報が表す前記消費電力量に応じた電気料金を表す電気料金情報に変換し、該変換した前記電気料金情報を前記表示装置に出力する変換処理ステップと、をさらに含み、前記手続き支援ステップは、前記移転に伴って入力された契約変更の指示、および電力の供給に係る契約に関して前記移転に伴って変更される条件を表す移転条件情報に基づいて、現在の供給条件に係る契約の廃止を表す契約廃止申込情報、および移転先における新たな供給条件に係る契約の開始を表す新規契約申込情報をそれぞれの供給条件に係るサーバ装置に送信する処理、をコンピュータに実行させる。
【発明の効果】
【００２８】
本発明によれば、通信機能を備えた消費電力計測装置が計測した消費電力量の情報が直接送信されてくる電力管理装置のシステムにおいて、電力の供給を受ける電力会社を変更する需要家の手続きを支援することができるという効果が得られる。
【図面の簡単な説明】
【００２９】
【図１】本発明の第１の実施形態における電力管理システムの概略構成を示したブロック図である。
【図２】本第１の実施形態の電力管理システムに備えた電力管理装置の概略構成を示したブロック図である。
【図３】本第１の実施形態の電力管理システムにおいて電力情報表示端末に表示する情報の一例を示した図である。
【図４】本第１の実施形態の電力管理システムにおいて電力情報表示端末に表示する情報の別の一例を示した図である。
【図５】本第１の実施形態の電力管理システムにおいて電力情報表示端末に表示する情報のさらに別の一例を示した図である。
【図６】本第１の実施形態の電力管理システムにおいて電力会社を変更する際の情報を入力するために電力情報表示端末に表示する入力画面の一例を示した図である。
【図７】本第１の実施形態の電力管理システムにおいて電力会社の変更を行った通知を電力情報表示端末に表示する一例を示した図である。
【図８】本第１の実施形態の電力管理システムによる電力会社の契約変更手続きにおける第１の処理シーケンスを示したシーケンス図である。
【図９】本発明の第２の実施形態における電力管理システムの概略構成を示したブロック図である。
【図１０】本発明の第３の実施形態における電力管理システムの概略構成を示したブロック図である。
【図１１】本実施形態の電力管理システムによる電力会社の契約変更手続きにおける第２の処理シーケンスを示したシーケンス図である。
【図１２】本実施形態の電力管理システムによる電力会社の契約変更手続きにおける第３の処理シーケンスを示したシーケンス図である。
【図１３】本実施形態の電力管理システムによる電力会社の契約変更手続きにおける第４の処理シーケンスを示したシーケンス図である。
【図１４】本実施形態の電力管理システムによる電力会社の契約変更手続きにおける第５の処理シーケンスを示したシーケンス図である。
【図１５】スマートメーターを利用したエネルギー管理システムの構成を模式的に示した図である。
【発明を実施するための形態】
【００３０】
＜第１の実施形態＞
以下、本発明の実施形態について、図面を参照して説明する。なお、需要家に電力を供給する電力事業者には、電力を発電する発電会社、電力を送配する送配電会社、電力を小売りする小売会社など、様々な形態の事業者が想定されるが、以下の説明においては、説明を容易にするため、需要家に電力を供給する形態に関わらず、「電力会社」という。また、以下の説明においては、電力管理システムによる各種の情報（データ、信号）の送受信において、「電力会社」とは、その電力会社の電力料金サーバ、その他のサーバ装置を意味することがある。また、以下の説明では、例えば、引っ越しなどによって需要家が移転することに伴って、電力の供給条件として電力会社を変更する場合を例として説明する。図１は、本第１の実施形態における電力管理システムの概略構成を示したブロック図である。電力管理システム１は、スマートメーター１０と、ＨＥＭＳコントローラ２０と、電力情報表示端末３０とから構成される。
【００３１】
スマートメーター１０は、電力会社によって構築された電力線が接続され、電力会社から供給された電力を需要家の家庭内に配電すると共に、需要家が消費した電力量（以下、「消費電力量」という）を計測する消費電力計測装置である。スマートメーター１０による消費電力量の計測は、例えば、３０分間隔、１時間間隔、１日間隔など、予め定めた間隔毎に行われる。スマートメーター１０は、計測した消費電力量を表す情報（以下、「消費電力量情報」という）を、通信機能によって、需要家に電力を供給している電力会社およびＨＥＭＳコントローラ２０に逐次送信する。図１に示した電力管理システム１には、スマートメーター１０が、需要家の家庭内に構成された電力線を通信回線として利用するＰＬＣ通信によって、計測した消費電力量情報をＨＥＭＳコントローラ２０に送信する構成を示している。また、消費電力量情報は、所定のプロトコル（例えば、ＥＣＨＯＮＥＴ  Ｌｉｔｅ）を用いて送信される。
【００３２】
なお、スマートメーター１０が消費電力量情報を電力会社に送信する方法も、電力会社とスマートメーター１０との間に構成されたＰＬＣ通信を利用することが考えられるが、本第１の実施形態においては、電力会社とスマートメーター１０との間の通信方法に関しては、特に規定しない。
【００３３】
ＨＥＭＳコントローラ２０は、インターネット（不図示）を介して電力会社のサーバ装置などから取得した電力会社の電力料金の情報や料金体系の情報に基づいて、スマートメーター１０から送信されてきた消費電力量情報から、需要家が消費した電力量や電気料金などを視覚的に確認するための情報（以下、「電気料金情報」という）に変換する電力管理装置である。ＨＥＭＳコントローラ２０は、需要家の家庭内での通信環境をまとめるホームサーバとしての機能も備えている。そして、ＨＥＭＳコントローラ２０は、変換した電気料金情報を、需要家によって操作される電力情報表示端末３０からの要求に応じて、電力情報表示端末３０に送信する。図１に示した電力管理システム１には、ＨＥＭＳコントローラ２０が、需要家の家庭内において、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１などの無線通信規格、いわゆる、ＷｉＦｉ（登録商標）などの無線通信を使用して、変換した電気料金情報を電力情報表示端末３０に送信する構成を示している。
【００３４】
また、ＨＥＭＳコントローラ２０は、需要家によって操作された電力情報表示端末３０からの指示、つまり、需要家からの指示に応じて、電力の供給を受ける電力会社を変更する際に需要家が行う手続きを支援する。より具体的には、需要家が現在契約している電力会社との契約廃止（解約）の手続き、および移転先において電力の供給を受けるために新たに契約する電力会社との新規契約の手続きを行う。また、ＨＥＭＳコントローラ２０は、新たに契約した電力会社の電力料金の情報や料金体系の情報に基づいて、移転先のスマートメーター（以下の説明においては、移転先のスマートメーターを、「スマートメーター１１」という）から送信されてきた消費電力量情報を電気料金情報に変換するために、ＨＥＭＳコントローラ２０自体の設定変更（初期化など）を行う。なお、ＨＥＭＳコントローラ２０による現在契約している電力会社との契約廃止（解約）の手続き、および新たに契約する電力会社との新規契約の手続きは、需要家が移転する前に行われ、ＨＥＭＳコントローラ２０自体の設定変更（初期化など）は、需要家が移転した後に行われる。なお、ＨＥＭＳコントローラ２０の構成および処理に関する詳細な説明は、後述する。
【００３５】
電力情報表示端末３０は、ＨＥＭＳコントローラ２０から送信されてきた電気料金情報を、例えば、電力情報表示端末３０に備えた表示装置に表示させることによって、電気料金情報を明示する機能と、需要家による操作を受け付ける機能とを有する表示端末装置である。電力情報表示端末３０は、例えば、需要家が使用するパーソナルコンピュータ、既存の移動体通信網を利用した携帯電話機（いわゆるスマートフォンを含む）、携帯情報端末（ＰＤＡ：Ｐｅｒｓｏｎａｌ  Ｄｉｇｉｔａｌ  Ａｓｓｉｓｔａｎｔ）（いわゆるタブレット端末を含む）などの電子機器である。つまり、電力情報表示端末３０は、ＨＥＭＳコントローラ２０から送信されてきた電気料金情報を表示装置に表示させるのみではなく、需要家が移転することに伴って電力の供給元である電力会社の変更を行うための指示や情報を入力する入力端末でもある。そして、電力情報表示端末３０は、需要家によって入力された、電力の供給を受ける電力会社の変更を行うための指示や情報を、無線通信によってＨＥＭＳコントローラ２０に送信する。
【００３６】
スマートメーター１１は、需要家の移転先の家庭に設置された消費電力計測装置である。つまり、需要家が移転した後には、新たに契約した電力会社から、スマートメーター１１を介して電力の供給を受けることになる。スマートメーター１１の機能や動作は、スマートメーター１０と同様であるため、詳細な説明は省略する。
【００３７】
このような構成によって、電力管理システム１は、需要家の移転前後の家庭内に構成される。つまり、電力管理システム１は、機能は同じであるが、需要家が移転する前と移転した後では、異なる機器で構成される。より具体的には、需要家が移転する前では、スマートメーター１０と、ＨＥＭＳコントローラ２０と、電力情報表示端末３０とによって電力管理システム１が構成され、需要家の移転した後には、スマートメーター１１と、ＨＥＭＳコントローラ２０と、電力情報表示端末３０とによって電力管理システム１が構成される。図１には、移転後の電力管理システム１を構成するスマートメーター１１が、移転先の需要家の家庭内に構成されたＰＬＣ通信によって、計測した消費電力量情報をＨＥＭＳコントローラ２０に送信する構成も併せて示している。
【００３８】
次に、ＨＥＭＳコントローラ２０の構成について説明する。図２は、本第１の実施形態の電力管理システムに備えた電力管理装置（ＨＥＭＳコントローラ２０）の概略構成を示したブロック図である。図２に示したように、ＨＥＭＳコントローラ２０は、制御部２０１と、スマートメーター通信部２０２と、インターネット通信部２０３と、データ記憶部２０４と、データ処理部２０５と、手続き支援部２０６と、無線通信部２０７とを備えている。なお、インターネット通信部２０３と無線通信部２０７は同体であってもよい。
【００３９】
制御部２０１は、所定の制御プログラムを実行することにより、ＨＥＭＳコントローラ２０に備えたそれぞれの構成要素、すなわち、スマートメーター通信部２０２、インターネット通信部２０３、データ記憶部２０４、データ処理部２０５、手続き支援部２０６、および無線通信部２０７のそれぞれを制御する制御部である。制御部２０１は、例えば、ＣＰＵ（Ｃｅｎｔｒａｌ  Ｐｒｏｃｅｓｓｉｎｇ  Ｕｎｉｔ）などの処理装置から構成される。
【００４０】
スマートメーター通信部２０２は、ＰＬＣ通信によってスマートメーター１０またはスマートメーター１１と通信を行うインターフェース部である。スマートメーター通信部２０２は、スマートメーター１０またはスマートメーター１１からＰＬＣ通信によって送信されてきた消費電力量情報を所定のプロトコルで受信し、受信した消費電力量情報のデータをデータ記憶部２０４に出力して記憶させる。
【００４１】
インターネット通信部２０３は、インターネット（不図示）上に構築された電力会社のサーバ装置などと通信を行うインターフェース部である。インターネット通信部２０３は、電力会社が提供している電力料金や料金体系を表す情報（以下、「契約料金情報」という）を、インターネット（不図示）を介して取得し、取得した契約料金情報のデータをデータ記憶部２０４に出力して記憶させる。より具体的には、インターネット通信部２０３は、需要家が現在契約している電力会社が提供している契約料金情報（以下、「移転前契約料金情報」という）を、インターネット（不図示）を介して取得し、取得した契約料金情報のデータをデータ記憶部２０４に出力して記憶させる。また、インターネット通信部２０３は、需要家が移転した後に契約する電力会社が提供している契約料金情報を、インターネット（不図示）を介して取得し、取得した契約料金情報（以下、「移転後契約料金情報」という）のデータをデータ記憶部２０４に出力して記憶させる。
【００４２】
なお、インターネット通信部２０３が取得する電力料金の情報や料金体系の情報は、それぞれの電力会社のサーバ装置から取得するのみではなく、例えば、経済産業省などが提供している、認可された複数の電力会社のそれぞれの契約料金の情報を集約したサーバ装置などから取得してもよい。また、例えば、ＨＥＭＳコントローラ２０を製造する際に、予め複数の電力会社の契約料金情報をデータ記憶部２０４などに記憶させておき、その後に定期的にインターネット通信部２０３が取得して更新する構成であってもよい。また、例えば、ＨＥＭＳコントローラ２０を販売する販売会社のサーバ装置が、複数の電力会社の契約料金情報をまとめたデータを公開している場合には、インターネット通信部２０３が、定期的に公開されたデータをそれらのサーバ装置から取得して更新する構成であってもよい。
【００４３】
データ処理部２０５は、データ記憶部２０４に記憶されているデータに基づいて、需要家に電気料金を通知する情報を生成する処理部である。データ処理部２０５は、データ記憶部２０４に記憶されている契約料金情報のデータに基づいて、データ記憶部２０４に記憶されている消費電力量情報のデータを電気料金情報のデータに変換し、変換した電気料金情報のデータを、需要家が現在契約している電力会社における電気料金情報のデータとしてデータ記憶部２０４に出力して記憶させる。
【００４４】
なお、需要家が移転する前に、移転後契約料金情報がデータ記憶部２０４に記憶されている場合には、データ処理部２０５は、データ記憶部２０４に記憶されている移転後契約料金情報のデータに基づいて、データ記憶部２０４に記憶されている消費電力量情報のデータを、移転後の電力会社と契約した際の仮想の電気料金情報のデータに変換することもできる。この場合、データ処理部２０５は、変換した電気料金情報のデータを、需要家が移転後に契約する電力会社における電気料金情報のデータとしてデータ記憶部２０４に出力して記憶させる。
【００４５】
データ記憶部２０４は、スマートメーター通信部２０２から出力された消費電力量情報のデータ、およびインターネット通信部２０３から出力された移転前契約料金情報や移転後契約料金情報のデータを記憶する記憶部である。また、データ記憶部２０４は、データ処理部２０５から出力された電気料金情報（仮想の電気料金情報も含む）のデータを記憶する記憶部でもある。データ記憶部２０４は、例えば、ＤＲＡＭ（Ｄｙｎａｍｉｃ  Ｒａｎｄｏｍ  Ａｃｃｅｓｓ  Ｍｅｍｏｒｙ）などの一時記憶用のメモリや、ＨＤＤ（Ｈａｒｄ  ｄｉｓｋ  ｄｒｉｖｅ）などの記憶装置から構成される。
【００４６】
なお、データ記憶部２０４には、ＨＥＭＳコントローラ２０が需要家を識別するための情報、電力会社が需要家を識別するための情報、契約している料金体系を識別するための情報として、例えば、識別情報（ＩＤ）やパスワードなどの情報も記憶している。
【００４７】
無線通信部２０７は、無線通信によって電力情報表示端末３０と通信を行うインターフェース部である。無線通信部２０７は、データ記憶部２０４に記憶されている電気料金情報のデータを無線通信によって電力情報表示端末３０に送信する。これにより、電力情報表示端末３０が、表示装置に電気料金情報を表示させ、需要家は、過去に消費した消費電力量や現在消費している消費電力量を確認することができる。
【００４８】
また、無線通信部２０７は、データ記憶部２０４に仮想の電気料金情報のデータが記憶されている場合には、この仮想の電気料金情報のデータを無線通信によって電力情報表示端末３０に送信する。これにより、電力情報表示端末３０が、表示装置に仮想の電気料金情報を表示させ、需要家は、移転後に電力の供給を受ける電力会社における電気料金などを視覚的に確認することができる。また、需要家は、移転をする前に、電力情報表示端末３０を操作して、電力の供給元である電力会社の変更を行うための指示や情報を入力する。電力情報表示端末３０は、電力の供給を受ける電力会社の変更を行うことを表す指示や情報を受け付け、受け付けた指示や情報をＨＥＭＳコントローラ２０に送信することができる。ここで、無線通信部２０７は、需要家が移転することに伴った電力会社の変更の指示を受信したことを表す情報を、制御部２０１や手続き支援部２０６に出力する。また、無線通信部２０７は、電力会社の変更の情報を、制御部２０１や手続き支援部２０６に出力する。この電力会社の変更の情報には、契約変更をする際の条件（以下、「移転条件」という）が含まれている。以下の説明においては、無線通信部２０７が制御部２０１や手続き支援部２０６に出力する電力会社の変更の情報を、「移転条件情報」という。
【００４９】
手続き支援部２０６は、無線通信部２０７から入力された電力会社の変更の指示を受信したことを表す情報に応じて、電力会社との契約を変更する手続きを行う処理部である。手続き支援部２０６における電力会社との契約変更手続きの処理は、需要家が現在契約している電力会社に対する契約廃止（解約）の手続きの処理と、移転先において新たに契約する電力会社に対する新規契約の手続きの処理とを含む。なお、手続き支援部２０６におけるそれぞれの処理は、無線通信部２０７から入力された移転条件情報に基づいて行われる。移転条件情報には、例えば、需要家によって指定された、それぞれの処理を開始する時期の情報が含まれている。手続き支援部２０６は、需要家によって指定された時期に、需要家が現在契約している電力会社に対する契約廃止（解約）の手続きの処理と、新たに契約する電力会社に対する新規契約の手続きの処理とのそれぞれの処理を行う。
【００５０】
また、手続き支援部２０６は、需要家が移転した後に、インターネット通信部２０３によって移転前契約料金情報を取得する取得先となるサーバ装置を、新たに契約を開始した料金体系や電力会社のサーバ装置に変更する。より具体的には、手続き支援部２０６は、移転後に電力の供給を受ける電力会社を変更した以降に需要家に電気料金を通知する処理のための設定変更（初期化など）を行う。ここで、インターネット通信部２０３は、需要家の移転先で新たに契約した電力会社から契約料金情報（つまり、移転後契約料金情報）のデータを、移転前契約料金情報のデータとして取得し、データ処理部２０５は、移転後の移転前契約料金情報のデータに基づいて、データ記憶部２０４に記憶されている消費電力量情報のデータを電気料金情報のデータに変換する。そして、需要家は、移転先で新たに契約した電力会社の料金体系で、契約の変更が成立した以降に消費した消費電力量の確認をすることができる。
【００５１】
このような構成のＨＥＭＳコントローラ２０を備えた本第１の実施形態の電力管理システム１は、需要家の移転前後において、スマートメーター１０またはスマートメーター１１から直接送信されてきた消費電力量情報に基づいて、つまり、Ｂルート（図１５参照）で取得した消費電力量情報に基づいて、消費した電力量や電気料金などを確認するための視覚的な情報（電気料金情報）を需要家に提示する。より具体的には、需要家が移転する前には、スマートメーター１０からＢルートで取得した消費電力量情報に基づき、需要家が移転した後には、スマートメーター１１からＢルートで取得した消費電力量情報に基づいて、消費した電力量や電気料金などを確認するための視覚的な情報（電気料金情報）を需要家に提示する。また、本第１の実施形態の電力管理システム１は、需要家が移転することに伴って入力された電力の供給元である電力会社の変更を行うための指示に応じて、需要家が電力の供給を受ける電力会社を変更する際の手続きと、新たに契約した電力会社の料金体系の情報への変更作業とを支援する。
【００５２】
ここで、本第１の実施形態の電力管理システム１において、需要家が移転することに伴った電力会社の変更の指示や情報を受け付ける方法について説明する。図３〜図５は、本第１の実施形態の電力管理システム１において電力情報表示端末３０に表示する情報の一例を示した図である。図３〜図５に示した表示する情報のそれぞれには、電力管理システム１において、需要家が、電力情報表示端末３０を操作して電力会社の変更の指示を入力する方法の一例も示している。なお、図３〜図５に示した表示の一例では、電力情報表示端末３０がタブレット端末であり、電力情報表示端末３０に備えた表示装置が、表示部と、例えば、押圧センサとが組み合わされて構成されたタッチパネル式の表示装置であるものとして説明する。
【００５３】
図３に示した表示の一例は、グラフによって電力使用量と電気料金とを表示した場合の一例である。図３に示した表示の一例では、電力情報表示端末３０に備えた表示装置に、スマートメーター１０が、つまり、需要家が移転する前において、３０分間隔で計測した２日分の消費電力量情報のそれぞれを変換した電気料金情報のデータを、３０分毎にそれぞれの棒グラフで表示し、対応する電気料金のそれぞれを折れ線グラフで表示している。図３に示した表示の一例では、現在契約している電力会社（Ａ社）の電気料金の表示と共に、需要家が移転することに伴って電力の供給元である電力会社の変更を行うための指示を入力するためのユーザーインタフェースとして「移転手続き」ボタンを表示している。より具体的には、ＡＡ月ＢＢ日およびＸＸ月ＹＹ日において契約されている電力会社（Ａ社）との「定額制」の契約における電気料金の変化を示したグラフの右下に、「移転手続き」ボタンを表示している。
【００５４】
これにより、需要家は、現在の契約におけるそれぞれの時間帯における電気料金の差を確認することができる。そして、需要家は、例えば、引っ越しなどによって移転する場合には、電力情報表示端末３０の表示装置に表示された「移転手続き」のボタンをタッチ（タップなど）することによって、移転に伴って電力の供給を受ける電力会社を変更する契約変更手続き（移転手続き）の指示を入力することができる。これにより、電力情報表示端末３０が、契約変更の指示を無線通信によってＨＥＭＳコントローラ２０に送信し、ＨＥＭＳコントローラ２０が、電力会社との契約変更の手続き（移転の手続き）を行う。
【００５５】
また、図４に示した表示の一例は、グラフと文字とによって電力使用量と電気料金とを表示した場合の一例である。図４に示した表示の一例では、電気料金情報のデータを３０分毎に棒グラフで示した２日分のグラフを上下に並べて表示し、対応する１日の電力使用量と電気料金とを文字で表示している。図４に示した表示の一例では、現在契約している電力会社（Ａ社）における１日あたりの電気料金を比較するためのそれぞれのグラフに、対応する電力使用量と電気料金との情報を表示すると共に、需要家が移転することに伴って電力の供給元である電力会社の変更を行うための指示を入力するためのユーザーインタフェースとして「移転手続き」ボタンを表示している。より具体的には、現在契約している電力会社（Ａ社）の「定額制」の契約において、ＡＡ月ＢＢ日では、「電力使用量＝８０２４ｗｈ」のときに「電気料金＝２００．６円」であり、ＸＸ月ＹＹ日では、「電力使用量＝７９１９ｗｈ」のときに「電気料金＝１９５．４円」であることを比較するグラフの右下に、「移転手続き」ボタンを表示している。
【００５６】
これにより、需要家は、現在の契約における日毎の電気料金の差を確認することができる。そして、需要家は、移転する場合に、電力情報表示端末３０の表示装置に表示された「移転手続き」のボタンをタッチ（タップなど）することによって、移転に伴う契約変更の指示を入力することができる。これにより、図３に示した表示の一例の説明と同様に、ＨＥＭＳコントローラ２０が、電力会社との契約変更の手続き（移転の手続き）を行う。
【００５７】
また、図５に示した表示の一例は、グラフによって電力使用量を表示し、その後の需要家の操作に応じて文字によって電力使用量と電気料金とを表示することができるようにした場合の一例である。図５に示した表示の一例では、現在契約している電力会社（Ａ社）の「定額制」の契約において、電気料金情報のデータを３０分毎に棒グラフで示した２日分のグラフの表示と、対応する１日の電力使用量と電気料金との文字の表示を、需要家が操作することによって切り替える場合の表示している。そして、それぞれの表示において、需要家が移転することに伴って電力の供給元である電力会社の変更を行うための指示を入力するためのユーザーインタフェースとして「移転手続き」ボタンを表示している。より具体的には、図５（ａ）には、ＡＡ月ＢＢ日における３０分毎の電力使用量の変化を表す棒グラフ、図５（ｂ）には、ＡＡ月ＢＢ日の１日の電力使用量と電気料金との情報を表示している。また、図５（ｃ）には、ＸＸ月ＹＹ日における３０分毎の電力使用量の変化を表す棒グラフ、図５（ｄ）には、ＸＸ月ＹＹ日の１日の電力使用量と電気料金との情報を表示している。そして、需要家が、電力情報表示端末３０を操作して図５（ａ）〜図５（ｄ）の一例に示したそれぞれの表示を切り替えることによって、現在契約している電力会社（Ａ社）の「定額制」の契約における情報を比較することができるようにしている。
【００５８】
例えば、図５（ａ）に表示された「ＡＡ月ＢＢ日（Ａ社定額制）」の表示領域をタッチ（タップなど）することによって、図５（ｂ）に示したＡＡ月ＢＢ日の電力使用量と電気料金との情報の表示に切り替え、図５（ａ）に表示されたＡＡ月ＢＢ日における電力使用量の変化を表す棒グラフの表示領域をタッチ（タップやフリックなど）することによって、図５（ｃ）に示したＸＸ月ＹＹ日における電力使用量の変化を表す棒グラフの表示に切り替える。また、例えば、図５（ｃ）に表示された「ＸＸ月ＹＹ日（Ａ社定額制）」の表示領域をタッチ（タップなど）することによって、図５（ｄ）に示したＸＸ月ＹＹ日の電力使用量と電気料金との情報の表示に切り替える。また、例えば、図５（ｂ）に表示されたＡＡ月ＢＢ日の電力使用量と電気料金との情報の表示領域をタッチ（タップやフリックなど）することによって、図５（ｄ）に示したＸＸ月ＹＹ日の電力使用量と電気料金との情報の表示に切り替える。
【００５９】
なお、図５（ａ）に示した表示から図５（ｂ）に示した表示へ切り替え、および図５（ｃ）に示した表示から図５（ｄ）に示した表示へ切り替えは、電力情報表示端末３０の表示装置における全ての表示領域の切り替えに限定されるものではない。例えば、図５（ａ）に示した表示に図５（ｂ）に示した表示を重畳することによって、図５（ｂ）に示した表示が図５（ａ）に示した表示の一部の領域にポップアップして表示されるようにしてもよい。
【００６０】
これにより、需要家は、現在の契約における日毎の電気料金の差を確認および比較することができる。そして、需要家は、移転する場合に、電力情報表示端末３０の表示装置に表示されたいずれかの「移転手続き」のボタンをタッチ（タップなど）することによって、移転に伴う契約変更の指示を入力することができ。これにより、図３および図４に示した表示の一例の説明と同様に、ＨＥＭＳコントローラ２０が、電力会社との契約変更の手続き（移転の手続き）を行う。
【００６１】
なお、図３〜図５においては、需要家が電力使用量と電気料金とを比較することができるように、スマートメーター１０が計測した２日分の消費電力量情報のデータを利用した、つまり、需要家が実際に消費した消費電力量の実績値を利用して、電気料金情報のデータを電力情報表示端末３０の表示装置に表示させる場合を説明した。しかし、電気料金情報のデータを表示させるために利用する消費電力量情報のデータは、図３〜図５において説明した方法において利用したデータに限定されるものではない。例えば、同じ１日分の消費電力量情報のデータ（実績値）を利用して、１日分の電気料金情報のデータを電力情報表示端末３０の表示装置に表示させてもよい。
【００６２】
また、需要家が契約変更の指示を入力する方法として、図３〜図５における説明では、需要家が操作する電力情報表示端末３０に表示された「移転手続き」のボタンに対して操作を行う方法を示した。しかし、需要家が契約変更の指示を入力する方法は、図３〜図５において説明した方法に限定されるものではない。例えば、ＨＥＭＳコントローラ２０に契約変更を行うためのユーザーインタフェースとして専用のボタンを設け、需要家が、この「移転手続きボタン」を押下する方法によって、契約変更の指示を入力する構成にすることもできる。
【００６３】
そして、ＨＥＭＳコントローラ２０は、契約変更の指示が入力されると、契約変更をする際の条件（移転条件）の情報を入力するための入力画面を、電力情報表示端末３０の表示装置に表示させる。図６は、本第１の実施形態の電力管理システム１において電力会社を変更する際の情報（移転条件情報）を入力するために電力情報表示端末３０に表示する入力画面の一例を示した図である。
【００６４】
図６に示した表示の一例は、移転前の契約に対する移転条件と移転後の契約に対する移転条件とのそれぞれを入力するための入力領域とを表示した場合の一例である。より具体的には、移転前の契約に対する移転条件情報を入力する入力領域として、現在契約している電力会社の会社名「Ａ社」および料金プラン、つまり、料金体系「定額制」を表示すると共に、契約の終了、つまり、契約廃止（解約）を行う期日を入力するための空白の領域を示している。また、移転後の契約に対する移転条件情報を入力する入力領域として、移転先において新たに契約する電力会社の会社名、料金プラン、契約する住所、契約の開始、つまり、新規契約を行う期日を入力するための空白の領域を示している。需要家は、電力情報表示端末３０を操作してそれぞれの空白の領域に情報を入力した後、「ＯＫ」ボタン（ユーザーインタフェース）をタッチ（タップなど）することによって、電力の供給を受ける電力会社の変更を行うための移転条件情報を入力する。電力情報表示端末３０は、需要家によって移転条件情報が入力されると、入力された移転条件情報を、無線通信によってＨＥＭＳコントローラ２０に送信する。ＨＥＭＳコントローラ２０は、電力情報表示端末３０から送信された移転条件情報を受信すると、受信した移転条件情報に基づいて、需要家が現在契約している電力会社に対する契約廃止（解約）の手続きの処理と、移転先において新たに契約する電力会社に対する新規契約の手続きの処理とを開始する。なお、図６に示した表示の一例には、契約変更の指示や移転条件情報の入力を破棄（キャンセル）するためのユーザーインタフェースとして「キャンセル」ボタンも表示している。
【００６５】
なお、図６においては、移転後の契約に対する移転条件情報として入力する会社名および料金プランの領域を空白の領域としたが、例えば、会社名の領域の入力を、プルダウンで表示される電力会社から選択し、その後、選択された電力会社が提供している料金プラン（料金体系）をプルダウンで選択して料金プランの領域を入力するようにしてもよい。なお、図６に示したように、移転前の契約に対する移転条件である、現在契約している電力会社と料金プラン（料金体系）の領域は、ＨＥＭＳコントローラ２０にすでに設定されている情報であるため、選択や直接入力する方法ではなく、予め入力されている状態で表示させることが望ましい。
【００６６】
そして、ＨＥＭＳコントローラ２０は、電力会社との契約変更の手続きが完了すると、例えば、移転先において電力の供給を受けるために新たに契約する電力会社との新規契約の手続きが完了した後のタイミングで最初に需要家に電気料金情報を提示する際に、契約変更の手続き（移転の手続き）が完了したことを表す通知を電力情報表示端末３０に表示させる。図７は、本第１の実施形態の電力管理システム１において電力会社の変更を行った通知を電力情報表示端末３０に表示する一例を示した図である。
【００６７】
図７に示した表示の一例は、スマートメーター１１が、つまり、需要家が移転した後において、電気料金情報のデータを３０分毎に棒グラフで示した１日分のグラフを表示する電力情報表示端末３０の表示領域の一部に、契約変更の手続きが完了したことを表す通知をポップアップで表示する場合の一例を示している。より具体的には、ＮＮ月ＭＭ日における３０分毎の電力使用量の変化を表す棒グラフの一部の領域に、「ＩＩ／ＪＪから電力会社（Ｂ社）の夜特プランに契約が変更されている」ことを表す通知を表示する場合を示している。これにより、需要家は、電力の供給を受ける電力会社が変更されたことを確認することができる。なお、図７に示した契約変更の手続きが完了したことを表す通知は、新たに契約する電力会社との新規契約の手続きが完了した後のタイミングであれば、いかなるタイミングで行われてもよい。
【００６８】
＜第１の処理シーケンス＞
次に、本第１の実施形態の電力管理システム１における電力会社との契約変更の手続きを行うための処理の流れについて説明する。図８は、本第１の実施形態の電力管理システム１による電力会社の契約変更手続きにおける第１の処理シーケンスを示したシーケンス図である。以下の説明においては、「移転手続き」ボタンの操作、すなわち、移転に伴う契約変更の指示に応じて、需要家が現在契約している電力会社（Ａ社）との契約廃止（解約）の手続きを行い、移転先において電力の供給を受ける電力会社（Ｂ社）との新規契約の手続きを行う、つまり、電力会社（Ａ社）から電力会社（Ｂ社）に契約を変更する場合の処理シーケンスについて説明する。なお、以下の説明においては、説明を容易にするため、契約変更の指示が入力されたときには、移転条件情報がすでに入力済みであるものとして説明する。
【００６９】
まず、需要家が、図３〜図５に示した「移転手続き」のボタンをタッチ（タップなど）するなどの操作によって、契約変更の指示を入力すると、ステップＳ１００において、電力情報表示端末３０は、移転に伴って電力の供給を受ける電力会社を変更する契約変更手続き（移転手続き）の指示を受け付け、その契約変更の指示と移転条件情報とを、ＨＥＭＳコントローラ２０に送信する。
【００７０】
続いて、ＨＥＭＳコントローラ２０は、電力情報表示端末３０から送信された契約変更の指示を受信すると、需要家が現在契約している電力会社に対する契約廃止（解約）の手続きの処理、および新たに契約する電力会社に対する新規契約の手続きの処理（契約変更手続き処理）を開始する。契約変更手続き処理では、まず、ステップＳ２００において、ＨＥＭＳコントローラ２０は、移転前の契約に対する移転条件情報に含まれた、需要家が現在契約している電力会社（Ａ社）に対して、契約廃止（解約）の申し込みを行う。このステップＳ２００における契約廃止（解約）の申し込みでは、移転前の契約に対する移転条件情報に含まれた契約を終了する期日を表す情報と共に、契約を廃止する需要家を識別するための識別情報として、例えば、電力会社（Ａ社）が需要家に対して設定した顧客ＩＤや、この顧客ＩＤに対応するパスワードなどの契約廃止申込情報を、電力会社（Ａ社）のサーバ装置に送信する。なお、契約廃止申込情報には、例えば、スマートメーター１０に対して固有に設定された識別ＩＤ（固有ＩＤ）がさらに含まれてもよい。そして、ＨＥＭＳコントローラ２０は、契約廃止申込情報の送信から所定時間（例えば、２時間）内に、電力会社（Ａ社）のサーバ装置から契約廃止承諾情報を受信したとき、契約廃止が成立したと判定する。契約廃止承諾情報とは、申し込まれた契約廃止を電力会社（Ａ社）が承諾したことを示す情報である。契約廃止が成立したと判定した後、ＨＥＭＳコントローラ２０は、ステップＳ３００の処理に進む。
【００７１】
続いて、ステップＳ３００において、ＨＥＭＳコントローラ２０は、移転後の契約に対する移転条件情報に含まれた、つまり、需要家によって指定された新たに契約する電力会社（Ｂ社）に対して、新規契約の申し込みを行う。このステップＳ３００における新規契約の申し込みでは、移転後の契約に対する移転条件情報に含まれた新たに契約を開始する期日を表す情報と共に、契約する需要家を識別するための識別情報として、例えば、移転先の住所（新規契約を申し込む移転先の住所）、氏名、電話番号などの新規契約申込情報を、電力会社（Ｂ社）のサーバ装置に送信する。そして、ＨＥＭＳコントローラ２０は、新規契約申込情報の送信から所定時間（例えば、２時間）内に、電力会社（Ｂ社）のサーバ装置から新規契約承諾情報を受信したとき、新規契約が成立したと判定する。新規契約承諾情報とは、申し込まれた新規契約を電力会社（Ｂ社）が承諾したことを示す情報である。ＨＥＭＳコントローラ２０は、新規契約承諾情報と共に、新たに電力の供給を受けるために要する各種の設定情報（例えば、スマートメーター１１の固有ＩＤ、Ｂ社の事業者ＩＤ、需要家の顧客ＩＤ、スマートメーター１１と通信するために必要な認証ＩＤおよびパスワード情報など）を受信する。新規契約が成立したと判定した後、ＨＥＭＳコントローラ２０は、ステップＳ４００の処理に進む。
【００７２】
なお、ＨＥＭＳコントローラ２０におけるステップＳ２００とステップＳ３００との契約変更手続き処理におけるそれぞれの電力会社との通信は、ＨＥＭＳコントローラ２０に備えたスマートメーター通信部２０２が、電力会社（Ａ社）とスマートメーター１０との間、または電力会社（Ｂ社）とスマートメーター１１との間に構築されたＰＬＣ通信を利用して、スマートメーター１０またはスマートメーター１１を介して行ってもよい。また、ＨＥＭＳコントローラ２０に備えたインターネット通信部２０３が、インターネット（不図示）を介して行ってもよい。
【００７３】
その後（移転後の契約に対する移転条件情報に含まれた契約開始期日以降）、ステップＳ４００において、ＨＥＭＳコントローラ２０は、需要家に電気料金を通知する処理のための設定を、電力会社（Ａ社）の情報から、電力会社（Ｂ社）の情報に変更する。例えば、ＨＥＭＳコントローラ２０は、スマートメーター１１から送信されてきた消費電力量情報のデータを電気料金情報のデータに変換するために用いる移転前契約料金情報のデータを、電力会社（Ａ社）の移転前契約料金情報から電力会社（Ｂ社）の移転前契約料金情報に変更する。また、新たに契約した電力会社（Ｂ社）を識別するための識別情報として、例えば、電力会社毎に設定された事業者ＩＤなどの情報も変更する。また、新たに契約した電力会社（Ｂ社）が需要家に対して設定した顧客ＩＤ、この顧客ＩＤに対して需要家が設定したパスワードなどの情報も変更する。
【００７４】
以降、ＨＥＭＳコントローラ２０は、スマートメーター１１から送信されてきた消費電力量情報のデータを、変更した電力会社（Ｂ社）の移転前契約料金情報のデータに基づいて電気料金情報のデータに変換し、現在契約している電力会社（Ｂ社）における電気料金情報のデータとして需要家に提示する。このとき、ＨＥＭＳコントローラ２０は、需要家に最初に電力会社（Ｂ社）における電気料金情報のデータを提示する際に、図８に示したように、契約を電力会社（Ｂ社）に変更したことを表す通知を、電力情報表示端末３０に表示させる。
【００７５】
このような処理シーケンスによって、ＨＥＭＳコントローラ２０を備えた本第１の実施形態の電力管理システム１は、需要家が電力の供給を受ける電力会社を変更する際の手続きと、新たに契約した電力会社（Ｂ社）の料金体系の情報への変更作業とを支援する。
【００７６】
なお、図８に示した第１の処理シーケンスでは、電力会社（Ａ社）との契約を廃止（解約）した後に、電力会社（Ｂ社）との新規契約を行う場合について説明した。しかし、需要家が移転する際には、電力会社（Ａ社）との契約期間と、電力会社（Ｂ社）との契約期間とが重複している場合もある。このため、図８に示した第１の処理シーケンスのステップＳ４００において、電力会社（Ａ社）との契約期間が残っている、すなわち、移転前の契約に対する移転条件情報に含まれた契約を終了する期日以前は、需要家に電気料金を通知する処理のための設定を、電力会社（Ｂ社）の情報に変更しないようにすることもできる。また、電力会社（Ａ社）の情報と電力会社（Ｂ社）の情報との両方を、需要家に電気料金を通知する処理のための設定として、ＰＬＣ通信を行うスマートメーターによって、つまり、スマートメーター１０とＰＬＣ通信を行うのか、スマートメーター１１とＰＬＣ通信を行うのかによって、いずれかの電力会社の情報に切り替えるようにすることもできる。
【００７７】
また、図８に示した第１の処理シーケンスでは、ステップＳ４００におけるＨＥＭＳコントローラ２０の設定変更は、契約変更手続き処理が完了した後で、新たに契約した電力会社（Ｂ社）における電気料金情報のデータとして需要家に提示する前であれば、いかなるタイミングで行ってもよい。例えば、電力会社（Ｂ社）との契約が成立した直後であってもよいし、電力会社（Ｂ社）によって需要家に対する顧客ＩＤが設定された後に、需要家がパスワードを設定する作業を行ったときであってもよい。
【００７８】
このような構成および処理シーケンスによって、ＨＥＭＳコントローラ２０を備えた本第１の実施形態の電力管理システム１は、スマートメーター１０またはスマートメーター１１から直接送信されるＢルート（図１５参照）で取得した消費電力量情報に基づいて、消費した電力量や電気料金などを確認するための情報（電気料金情報）を需要家に提示する。また、ＨＥＭＳコントローラ２０を備えた本第１の実施形態の電力管理システム１は、従来では需要家が行っていた、電力の供給を受ける電力会社との契約変更手続きと、契約を変更した電力会社の設定へのＨＥＭＳコントローラ２０の設定変更作業とを支援する。
【００７９】
なお、本第１の実施形態の電力管理システム１では、図１に示したように、ＨＥＭＳコントローラ２０がスマートメーター１０またはスマートメーター１１と電力情報表示端末３０との間に配置された構成について説明した。しかし、本発明の電力管理システムの構成は、図１に示した構成に限定されるものではなく、様々な構成が考えられる。
【００８０】
＜第２の実施形態＞
次に、本発明の電力管理システムにおける第２の実施形態について説明する。図９は、本第２の実施形態における電力管理システムの概略構成を示したブロック図である。電力管理システム２は、需要家が移転する前では、スマートメーター１０と、ＨＥＭＳコントローラ２１と、パーソナルコンピュータ（ＰＣ）３１と、クラウドサーバ４０とから構成される。また、電力管理システム２は、需要家が移転した後では、スマートメーター１１と、ＨＥＭＳコントローラ２１と、パーソナルコンピュータ（ＰＣ）３１と、クラウドサーバ４０とから構成される。電力管理システム２において、ＨＥＭＳコントローラ２１と、パーソナルコンピュータ３１と、クラウドサーバ４０とは、インターネット５０を介して相互に接続されている。図９に示した本第２の実施形態の電力管理システム２は、図１〜図８において説明した第１の実施形態の電力管理システム１の機能を、クラウドコンピューティングシステムに備えたクラウドサーバ４０によって実現する構成である。
【００８１】
従って、本第２の実施形態の電力管理システム２においても、図１〜図８において説明した第１の実施形態の電力管理システム１と同様に、スマートメーター１０またはスマートメーター１１から直接送信されるＢルート（図１５参照）で取得した消費電力量情報に基づいて、消費した電力量や電気料金などを確認するための視覚的な情報（電気料金情報）を需要家に提示する。また、本第２の実施形態の電力管理システム２でも、第１の実施形態の電力管理システム１と同様に、需要家が移転することに伴って入力された電力の供給元である電力会社の変更を行うための指示に応じて、需要家による電力会社との契約変更手続きに係る処理と、契約を変更した電力会社への設定変更作業に係る処理とを行う。
【００８２】
スマートメーター１０およびスマートメーター１１は、図１に示した第１の実施形態の電力管理システム１におけるスマートメーター１０およびスマートメーター１１と同様の消費電力計測装置である。従って、スマートメーター１０とスマートメーター１１とに関する詳細な説明は省略する。スマートメーター１０およびスマートメーター１１は、計測した消費電力量情報を、有線ＬＡＮ（Ｌｏｃａｌ  Ａｒｅａ  Ｎｅｔｗｏｒｋ）などの有線通信によって、ＨＥＭＳコントローラ２１に送信する。
【００８３】
ＨＥＭＳコントローラ２１は、スマートメーター１０またはスマートメーター１１から送信されてきた消費電力量情報を、インターネット５０を介してクラウドサーバ４０に送信する電力管理装置である。ＨＥＭＳコントローラ２１は、スマートメーター１０またはスマートメーター１１とクラウドサーバ４０と接続する、需要家の家庭内に構築された中継器として動作する。
【００８４】
クラウドサーバ４０は、例えば、クラウドサービス会社などの第三者によって提供され、ＨＥＭＳコントローラ２１と、需要家によって操作されるパーソナルコンピュータ３１とを仲介する電力管理サーバ装置である。クラウドサーバ４０は、図１に示した第１の実施形態の電力管理システム１におけるＨＥＭＳコントローラ２０と同様の機能を備え、ＨＥＭＳコントローラ２１から送信されてきた消費電力量情報を、インターネット５０を介して取得した、クラウドサーバ４０を利用する需要家が契約している電力会社の契約料金情報に基づいて電気料金情報に変換する。また、クラウドサーバ４０は、第１の実施形態の電力管理システム１におけるＨＥＭＳコントローラ２０と同様に、パーソナルコンピュータ３１からの指示、つまり、需要家からの指示に応じて、電力の供給を受ける電力会社を変更する際に需要家が行う手続きを支援に係る処理を実行する。
【００８５】
パーソナルコンピュータ３１は、図１に示した第１の実施形態の電力管理システム１における電力情報表示端末３０に相当する、需要家によって操作される端末装置である。パーソナルコンピュータ３１は、クラウドサーバ４０にアクセスすることによって、クラウドサーバ４０から送信されてきた電気料金情報や契約変更をする際の情報を入力する入力画面を、パーソナルコンピュータ３１に内蔵または接続された表示装置（ディスプレイ）に表示させる。また、パーソナルコンピュータ３１は、電気料金情報の送信要求、電力会社を変更する手続きの支援要求（移転の手続き要求）などの需要家の要求を、インターネット５０を介してクラウドサーバ４０に送信する。
【００８６】
このような構成によって、本第２の実施形態の電力管理システム２でも、第１の実施形態の電力管理システム１と同様に、スマートメーター１０またはスマートメーター１１から直接送信されるＢルート（図１５参照）で取得した消費電力量情報に基づいて、消費した電力量や電気料金などを確認するための情報（電気料金情報）を需要家に提示する。このとき、本第２の実施形態の電力管理システム２におけるパーソナルコンピュータ３１に備えた表示装置の表示は、図３〜図８に示した電力情報表示端末３０の表示の一例と同様に考えることができる。そして、本第２の実施形態の電力管理システム２でも、第１の実施形態の電力管理システム１と同様に、従来では需要家が行っていた、電力の供給を受ける電力会社との契約変更手続きと、契約を変更した電力会社の設定へのクラウドサーバ４０およびＨＥＭＳコントローラ２１の設定変更作業とを支援する。
【００８７】
また、本第２の実施形態の電力管理システム２は、第１の実施形態の電力管理システム１におけるＨＥＭＳコントローラ２０と同様の機能をクラウドサーバ４０およびＨＥＭＳコントローラ２１が実現する構成である。そして、このクラウドサーバ４０へのアクセスは、需要家の家庭内のみではなく、例えば、外出先など、任意の地点に設置されたパーソナルコンピュータ（ＰＣ）からもアクセスすることができる。このため、需要家は、家庭内にいないときであっても、電気料金情報を確認することができ、電力会社との契約変更の指示と移転条件情報とを電力管理システム２に送信することができる。
【００８８】
なお、本第２の実施形態の電力管理システム２において、第１の実施形態の電力管理システム１におけるＨＥＭＳコントローラ２０と同様の機能を備えるクラウドサーバ４０の構成は、図２に示したＨＥＭＳコントローラ２０の構成と同様に考えることができるため、詳細な説明は省略する。ただし、より詳細には、ＨＥＭＳコントローラ２０に備えた、スマートメーター通信部２０２および無線通信部２０７を備えていない構成であってもよい。
【００８９】
また、本第２の実施形態の電力管理システム２における電力会社の契約変更手続きの処理シーケンスは、図８に示した第１の実施形態の電力管理システム１における第１の処理シーケンスにおいて、ＨＥＭＳコントローラ２０をクラウドサーバ４０に、電力情報表示端末３０をパーソナルコンピュータ３１に、それぞれ置き換えて考えることによって容易に理解することができるため、詳細な説明は省略する。ただし、より詳細には、引っ越し後に、クラウドサーバ４０が、ＨＥＭＳコントローラ２１に対して、スマートメーター１０と接続している設定を、スマートメーター１１と接続する設定に変更するように設定変更の指示を行なってもよい。
【００９０】
＜第３の実施形態＞
次に、本発明の電力管理システムにおける第３の実施形態について説明する。図１０は、本第３の実施形態における電力管理システムの概略構成を示したブロック図である。電力管理システム３は、需要家が移転する前では、スマートメーター１０と、電力管理端末２３とから構成される。また、電力管理システム３は、需要家が移転した後では、スマートメーター１１と、電力管理端末２３とから構成される。図１０に示した本第３の実施形態の電力管理システム３は、図１〜図８において説明した第１の実施形態の電力管理システム１の機能を、電力管理端末２３によって実現する構成である。
【００９１】
従って、本第３の実施形態の電力管理システム３においても、図１〜図８において説明した第１の実施形態の電力管理システム１、および図９に示した第２の実施形態の電力管理システム２と同様に、スマートメーター１０またはスマートメーター１１から直接送信されるＢルート（図１５参照）で取得した消費電力量情報に基づいて、消費した電力量や電気料金などを確認するための視覚的な情報（電気料金情報）を需要家に提示する。また、本第３の実施形態の電力管理システム３でも、第１の実施形態の電力管理システム１および第２の実施形態の電力管理システム２と同様に、需要家が移転することに伴って入力された電力の供給元である電力会社の変更を行うための指示に応じて、需要家による電力会社との契約変更手続きに係る処理、および契約を変更した電力会社への設定変更作業との支援に係る処理を行う。
【００９２】
スマートメーター１０およびスマートメーター１１は、図１に示した第１の実施形態の電力管理システム１におけるスマートメーター１０およびスマートメーター１１、および図９に示した第２の実施形態の電力管理システム２におけるスマートメーター１０およびスマートメーター１１と同様の消費電力計測装置である。従って、スマートメーター１０とスマートメーター１１とに関する詳細な説明は省略する。スマートメーター１０およびスマートメーター１１は、計測した消費電力量情報を、例えば、ＩＥＥＥ８０２．１５．４などの、いわゆる、ＰＡＮ（Ｐｅｒｓｏｎａｌ  Ａｒｅａ  Ｎｅｔｗｏｒｋ）といわれる短距離の無線通信規格を基本（ベース）にして策定した、いわゆる、Ｗｉ−ＳＵＮなどの無線通信によって、電力管理端末２３に送信する。
【００９３】
電力管理端末２３は、図１に示した第１の実施形態の電力管理システム１におけるＨＥＭＳコントローラ２０および電力情報表示端末３０と同様の機能を備え、例えば、需要家が使用するパーソナルコンピュータや、いわゆる、スマートフォンやタブレット端末などの携帯通信端末に構成された電力管理装置である。電力管理端末２３は、スマートメーター１０またはスマートメーター１１から送信されてきた消費電力量情報を、インターネット（不図示）によって取得した、需要家が契約している電力会社の契約料金情報に基づいて電気料金情報に変換し、変換した電気料金情報を、自装置に内蔵または接続された表示装置に表示させて提示する。また、電力管理端末２３は、需要家の操作による指示に応じて、電力の供給を受ける電力会社を変更する際に需要家が行う手続きの支援に係る処理を行う。
【００９４】
このような構成によって、本第３の実施形態の電力管理システム３でも、第１の実施形態の電力管理システム１、および第２の実施形態の電力管理システム２と同様に、スマートメーター１０またはスマートメーター１１から直接送信されるＢルート（図１５参照）で取得した消費電力量情報に基づいて、電気料金情報を需要家に提示する。このとき、本第３の実施形態の電力管理システム３における電力管理端末２３に備えた表示装置の表示は、図３〜図８に示した電力情報表示端末３０の表示の一例と同様に考えることができる。そして、本第３の実施形態の電力管理システム３でも、第１の実施形態の電力管理システム１、および第２の実施形態の電力管理システム２と同様に、従来では需要家が行っていた、電力の供給を受ける電力会社との契約変更手続きに係る処理と、契約を変更した電力会社の設定への電力管理端末２３の設定変更作業とを支援する処理を実行する。
【００９５】
なお、本第３の実施形態の電力管理システム３において、第１の実施形態の電力管理システム１におけるＨＥＭＳコントローラ２０および電力情報表示端末３０と同様の機能を備える電力管理端末２３の構成は、図２に示したＨＥＭＳコントローラ２０の構成と同様に考えることができるため、詳細な説明は省略する。ただし、より詳細には、ＨＥＭＳコントローラ２０に備えた、スマートメーター通信部２０２がスマートメーター無線通信部に、無線通信部２０７が公衆無線通信部（例えば、ＬＴＥ通信を行なう無線通信部）に変更され、新たに表示装置を備えた構成である。
【００９６】
また、本第３の実施形態の電力管理システム３における電力会社の契約変更手続きの処理シーケンスは、図８に示した第１の実施形態の電力管理システム１における第１の処理シーケンスにおいて、ＨＥＭＳコントローラ２０および電力情報表示端末３０を電力管理端末２３に置き換えて考えることによって容易に理解することができるため、詳細な説明は省略する。
【００９７】
上記に述べたとおり、本発明を実施するための形態によれば、通信機能を備えた消費電力計測装置が計測した消費電力量の情報が直接送信されてくる電力管理装置のシステムにおいて、受信した消費電力量の情報を、消費した電力量や電気料金などを視覚的に確認することができる情報に変換し、需要家に提示する。これにより、需要家は、消費した電力量や電気料金などを容易に確認することができる。また、持ち運びを行なうことが前提の端末ではあっても、スマートメーター１０および／またはスマートメーター１１と接続する設定が電力管理端末２３にはなされていることになり、外出先の他のスマートメーターと接続されることはない。
【００９８】
また、本発明を実施するための形態によれば、需要家から出される、電力の供給を受ける電力会社の変更の指示に応じて、需要家が電力の供給を受ける電力会社を変更する際の手続きと、新たに契約した電力会社の料金体系の情報への変更作業とを支援する。このとき、本発明を実施するための形態では、電力の供給を受ける電力会社の変更を、需要家にとって容易な方法で指示することができる。これにより、需要家は、現在契約している電力会社に対する契約廃止（解約）の手続きや、新たに契約する電力会社に対する新規契約の手続きを自ら行う必要がなくなり、容易に契約変更の手続きを行うことができる。また、需要家は、契約する電力会社を変更することに伴って必要であった、電力管理システムの設定変更を自ら行うことなく完了することができる。
【００９９】
なお、本発明を実施するための形態では、第１〜第３の実施形態において、電力管理システムを構成する様々な形態を示して説明したが、電力管理システムの構成は、第１〜第３の実施形態において示した構成に限定されるものではない。例えば、第１の実施形態において示した電力管理システム１を構成するＨＥＭＳコントローラ２０（電力管理装置）が１つの装置で構成される場合を示して説明したが、ＨＥＭＳコントローラ２０の機能が、複数の装置で実現される構成であってもよい。
【０１００】
なお、本発明を実施するための形態では、第１〜第３の実施形態において、スマートメーター１０およびスマートメーター１１が計測した消費電力量情報を送信する様々な通信手段を説明したが、スマートメーター１０およびスマートメーター１１が消費電力量情報を送信する通信手段は、第１〜第３の実施形態において示した方法に限定されるものではない。なお、本発明を実施するための形態では、スマートメーター１０およびスマートメーター１１が消費電力量情報を送信する際の通信方法やプロトコルに関して特に規定しないが、スマートメーター１０またはスマートメーター１１との間の通信方法やプロトコルは、例えば、経済産業省が公開しているガイドラインなどに従うことが望ましい。
【０１０１】
また、本発明を実施するための形態では、図８において、本実施形態の電力管理システムによるそれぞれの電力会社との契約変更手続き処理を行う第１の処理シーケンスを示したが、本実施形態の電力管理システムにおける契約変更手続き処理の処理シーケンスは、図８に示した第１の処理シーケンスに限定されるものではなく、様々な処理シーケンスが考えられる。
【０１０２】
＜第２の処理シーケンス＞
ここで、本実施形態の電力管理システムによって電力会社との契約変更手続き処理を行う、別の処理シーケンスについて説明する。図１１は、本実施形態の電力管理システムによる電力会社の契約変更手続きにおける第２の処理シーケンスを示したシーケンス図である。以下の説明においては、第１の実施形態の電力管理システム１において、「移転手続き」ボタンの操作、すなわち、移転に伴う契約変更の指示に応じて、電力会社（Ａ社）から電力会社（Ｂ社）に契約を変更する場合の処理シーケンスについて説明する。
【０１０３】
図１１に示した第２の処理シーケンスは、移転に伴う契約変更の指示が出された後、移転条件情報を対話形式で取得し、需要家が現在契約している電力会社（Ａ社）との契約廃止（解約）の手続きと、新たに契約する電力会社（Ｂ社）との新規契約の手続きとを行う場合の処理シーケンスである。つまり、本第２の処理シーケンスは、図８に示した第１の処理シーケンスにおいて、移転条件情報を取得するための処理が追加された処理シーケンスである。このため、本第２の処理シーケンスには、第１の処理シーケンスにおける処理と同様の処理も含まれている。従って、本第２の処理シーケンスにおいて、第１の処理シーケンスと同様の処理には、同一のステップ符号を付与し、それぞれの処理に関する詳細な説明は省略する。
【０１０４】
まず、ステップＳ１００において、電力情報表示端末３０は、需要家が、図３〜図５に示した「移転手続き」のボタンをタッチ（タップなど）するなどの操作による契約変更手続き（移転手続き）の指示を受け付け、その契約変更の指示を、ＨＥＭＳコントローラ２０に送信する。
【０１０５】
続いて、ＨＥＭＳコントローラ２０は、電力情報表示端末３０から送信された契約変更の指示を受信すると、契約変更手続きの処理を開始することを表すために、例えば、「移転手続きを開始します。手順に従って選択してください。」というようなメッセージを電力情報表示端末３０に送信して表示装置に表示させると共に、移転条件情報を取得する処理（移転条件取得処理）を開始する。移転条件取得処理では、ステップＳ１１１において、ＨＥＭＳコントローラ２０が移転条件の項目を提示する情報を電力情報表示端末３０に送信し、ステップＳ１１２において、電力情報表示端末３０が、提示された移転条件の項目に対して需要家が操作して入力された移転条件情報を受け付けて、その移転条件情報をＨＥＭＳコントローラ２０に送信する。なお、図１１に示した第２の処理シーケンスでは、ステップＳ１１１とステップＳ１１２との処理をそれぞれ１回ずつ示しているが、ステップＳ１１１とステップＳ１１２との処理を複数回繰り返すことにより、複数の移転条件情報を取得する。なお、移転条件とは、現在の契約を終了する期日、新たに契約を開始する期日、移転先の住所、例えば、間取りや広さ等の移転先の住宅の形態などを含む、契約変更手続き処理に必要な情報である。契約変更手続き処理に必要な移転条件情報の取得が終了した後、ＨＥＭＳコントローラ２０は、ステップＳ１２１からの処理に進む。
【０１０６】
続いて、ステップＳ１２１から、ＨＥＭＳコントローラ２０は、取得した移転条件に基づいて、新たに契約する電力会社を選択する処理（電力会社選択処理）を開始する。電力会社選択処理では、まず、ステップＳ１２１において、ＨＥＭＳコントローラ２０は、取得した移転条件情報と共に、移転条件に合った（または類似している）電力会社や料金体系の情報の一覧の要求を示す電力会社一覧要求情報を、電力会社情報データベース（ＤＢ）のサーバ装置に送信する。これに応じて、電力会社情報データベース（ＤＢ）のサーバ装置は、ステップＳ１２２において、電力会社一覧要求情報によって要求された電力会社一覧情報をＨＥＭＳコントローラ２０に送信する。なお、電力会社情報データベース（ＤＢ）は、例えば、ＨＥＭＳコントローラ２０を製造する製造会社、ＨＥＭＳコントローラ２０を販売する販売会社、電力会社を所掌する省庁などによって複数の電力会社の情報が集約されたデータベースである。
【０１０７】
そして、ＨＥＭＳコントローラ２０は、電力会社情報データベース（ＤＢ）のサーバ装置から送信された電力会社一覧情報を受信した後、ステップＳ１２３において、受信した電力会社一覧情報を需要家に提示するための提示情報を電力情報表示端末３０に送信し、電力情報表示端末３０に備えた表示装置に、移転先において需要家がスマートメーター１１を介して電力の供給を受けることができる電力会社の一覧を表示させる。
【０１０８】
これにより、需要家は、電力情報表示端末３０に表示された電力会社の一覧を確認し、電力情報表示端末３０を操作して、電力の供給を受ける電力会社を選択する。これにより、電力情報表示端末３０は、ステップＳ１２４において、需要家による電力会社の選択を受け付け、その電力会社の情報をＨＥＭＳコントローラ２０に送信する。
【０１０９】
続いて、ＨＥＭＳコントローラ２０は、ステップＳ２００において、需要家が現在契約している電力会社（Ａ社）に対して契約廃止（解約）の申し込みに係る処理を行い、続くステップＳ３００において、需要家が選択した電力会社（Ｂ社）に対して新規契約の申し込みに係る処理を行う。
【０１１０】
その後（移転条件情報に含まれた契約開始期日以降）、ステップＳ４００において、ＨＥＭＳコントローラ２０は、需要家に電気料金を通知する処理のための設定を、電力会社（Ａ社）の情報から、電力会社（Ｂ社）の情報に変更する。
【０１１１】
以降、ＨＥＭＳコントローラ２０は、スマートメーター１１から受信した消費電力量情報のデータを、変更した電力会社（Ｂ社）の移転前契約料金情報のデータに基づいて電気料金情報のデータに変換して、変換した電気料金情報のデータを電力情報表示端末３０に送信する。電力情報表示端末３０は、ＨＥＭＳコントローラ２０から受信したデータが示す電気料金情報を表示することにより、需要家に提示する。
【０１１２】
このように、第２の処理シーケンスにおいても、第１の処理シーケンスと同様に、電力管理システム１が、需要家が電力の供給を受ける電力会社を変更する際の手続きと、新たに契約した電力会社（Ｂ社）の料金体系の情報への変更作業とを支援する。
【０１１３】
なお、例えば、ＨＥＭＳコントローラ２０が受信した電力会社一覧情報を電力情報表示端末３０に送信して提示する際に、スマートメーター１０から受信した消費電力量情報に基づいて、つまり、需要家の現在の契約に基づいて、需要家が電力を消費する傾向を含めて判断することによって、需要家が電力を消費する際の条件（電力の消費条件）に合った（または類似している）電力会社や料金体系を提案（推奨）する構成にすることもできる。また、例えば、図６に示した入力画面において、移転後に契約する会社名や料金プランの情報が入力されていないが、契約する住所の情報は入力されている場合にも、ＨＥＭＳコントローラ２０が、需要家における電力の消費条件に合った（または類似している）電力会社や料金体系を提案（推奨）する構成にすることもできる。この場合には、ＨＥＭＳコントローラ２０は、入力されている住所の情報に基づいて、移転先において需要家がスマートメーター１１を介して電力の供給を受けることができる電力会社毎の電力料金の情報や料金体系の情報などを、インターネット（不図示）を介して取得する。
【０１１４】
このとき、需要家が現在契約している電力会社における電気料金と、移転先の電力会社や料金体系における電気料金とを比較することによって、より電気料金が安いと判断することができる電力会社または料金体系を判定し、需要家が現在契約している電力会社（移転前の電力会社）における電気料金よりも電気料金が安いと判断することができる電力会社または料金体系を提案（推奨）することが望ましい。この場合、例えば、データ処理部２０５が、データ記憶部２０４に記憶されている消費電力量情報のデータを、データ記憶部２０４に記憶されている移転前契約料金情報のデータおよび移転後契約料金情報のデータのそれぞれに基づいて、それぞれの電気料金情報（仮想の電気料金情報も含む）のデータに変換する。そして、それぞれの電気料金情報を比較し、それぞれの電気料金情報のデータに含まれる需要家が消費した電力量が同様であると判断することができる場合に、それぞれの電気料金情報のデータに含まれる電気料金を比較する。つまり、データ処理部２０５は、需要家における電力の消費条件に合っている（または類似している）場合に、需要家が現在契約している電力会社における電気料金と、移転後に供給を受けることができる電力会社と契約したときの電気料金とを比較する。
【０１１５】
なお、電力の消費条件は、例えば、１日内の時間帯毎の電力使用量、曜日毎の電力使用量、などである。このとき、電力を消費する際の条件が合っている（類似している）か否かの判断は、データ処理部２０５が、移転前後における電力会社間の契約料金情報の類似度を算出し、算出した類似度が所定の類似度よりも小さいか否かによって判定してもよい。また、データ処理部２０５が、電力会社間の電力使用量の分布の類似度を算出し、算出した類似度が所定の類似度よりも小さいか否かによって判定してもよい。なお、需要家が現在契約している電力会社における電気料金よりも電気料金が安いと判断することができる電力会社または料金体系が複数ある場合には、インターネット通信部２０３がそれぞれの電力会社または料金体系のデータを、データ記憶部２０４に出力して記憶させ、データ処理部２０５がそれぞれの電気料金情報のデータを、データ記憶部２０４に出力して記憶させるようにしてもよい。また、その複数の電力会社または料金体系のデータを需要家に提示して、選択できるようにしてもよい。
【０１１６】
＜第３の処理シーケンス＞
次に、本実施形態の電力管理システムによって電力会社との契約変更手続き処理を行う、さらに別の処理シーケンスについて説明する。図１２は、本実施形態の電力管理システムによる電力会社の契約変更手続きにおける第３の処理シーケンスを示したシーケンス図である。以下の説明においては、第１の実施形態の電力管理システム１において、需要家が現在契約している電力会社（Ａ社）から、電力会社（Ｂ社）に契約を変更する場合の処理シーケンスについて説明する。
【０１１７】
図１２に示した第３の処理シーケンスは、図８に示した第１の処理シーケンスにおいて、新たに契約した電力会社（Ｂ社）から移転前契約料金情報を取得する処理が追加された処理シーケンスである。このため、本第３の処理シーケンスには、第１の処理シーケンスにおける処理と同様の処理も含まれている。従って、本第３の処理シーケンスにおいても、第１の処理シーケンスと同様の処理には、同一のステップ符号を付与し、それぞれの処理に関する詳細な説明は省略する。
【０１１８】
まず、ステップＳ１００において、電力情報表示端末３０は、需要家からの契約変更手続き（移転手続き）の指示を受け付け、その契約変更の指示を、ＨＥＭＳコントローラ２０に送信する。そして、ＨＥＭＳコントローラ２０は、電力情報表示端末３０からの契約変更の指示を受信すると、契約変更手続き処理を開始する。
【０１１９】
続いて、ＨＥＭＳコントローラ２０は、ステップＳ２００において、需要家が現在契約している電力会社（Ａ社）に対して契約廃止（解約）の申し込みに係る処理を行い、続くステップＳ３００において、需要家が新たに契約する電力会社（Ｂ社）に対して新規契約の申し込みに係る処理を行う。
【０１２０】
その後、電力会社（Ｂ社）との新規契約が成立したと判定されたとき、ステップＳ３１０において、ＨＥＭＳコントローラ２０は、電力会社（Ｂ社）のサーバ装置に対して、移転前契約料金情報の要求を示す契約料金要求情報を送信する。これに応じて、電力会社（Ｂ社）のサーバ装置は、ステップＳ３２０において、需要家との間で成立した契約における移転前契約料金情報をＨＥＭＳコントローラ２０に送信する。
【０１２１】
ＨＥＭＳコントローラ２０は、電力会社（Ｂ社）のサーバ装置から送信された移転前契約料金情報を受信した後、ステップＳ４００において、需要家に電気料金を通知する処理のための設定を、電力会社（Ａ社）の情報から、電力会社（Ｂ社）の情報に変更する。より具体的には、ＨＥＭＳコントローラ２０は、スマートメーター１０から送信されてきた消費電力量情報のデータを電気料金情報のデータに変換するために用いていた電力会社（Ａ社）の移転前契約料金情報のデータを、ステップＳ３２０において受信したスマートメーター１１から送信されてきた消費電力量情報のデータを電気料金情報のデータに変換するために用いている電力会社（Ｂ社）の移転前契約料金情報のデータに変更する。なお、ＨＥＭＳコントローラ２０は、第３の処理シーケンスにおいても、第１の処理シーケンスのステップＳ４００と同様に、例えば、事業者ＩＤなどの電力会社（Ｂ社）を識別するための識別情報や、顧客ＩＤおよびパスワードなどの、電力会社（Ｂ社）が需要家を識別するための識別情報も変更する。
【０１２２】
以降、ＨＥＭＳコントローラ２０は、スマートメーター１１から受信した消費電力量情報のデータを、変更した電力会社（Ｂ社）の移転前契約料金情報のデータに基づいて電気料金情報のデータに変換して、変換した電気料金情報のデータを電力情報表示端末３０に送信する。電力情報表示端末３０は、ＨＥＭＳコントローラ２０から受信したデータが示す電気料金情報を表示することにより、需要家に提示する。
【０１２３】
このように、第３の処理シーケンスにおいても、第１の処理シーケンスおよび第２の処理シーケンスと同様に、電力管理システム１が、需要家が電力の供給を受ける電力会社を変更する際の手続きと、新たに契約した電力会社（Ｂ社）の料金体系の情報への変更作業とを支援する。
【０１２４】
＜第４の処理シーケンス＞
次に、本実施形態の電力管理システムによって電力会社との契約変更手続き処理を行う、さらに別の処理シーケンスについて説明する。図１３は、本実施形態の電力管理システムによる電力会社の契約変更手続きにおける第４の処理シーケンスを示したシーケンス図である。以下の説明においても、第１の実施形態の電力管理システム１において、需要家が現在契約している電力会社（Ａ社）から、ＨＥＭＳコントローラ２０が提案した電力会社（Ｂ社）に契約を変更する場合の処理シーケンスについて説明する。
【０１２５】
図１３に示した第４の処理シーケンスは、図８に示した第１の処理シーケンスにおいて、新たに契約する電力会社（Ｂ社）に新規契約の申し込みを行うと、電力会社（Ｂ社）から移転前契約料金情報が送信されてくる場合の処理シーケンスである。このため、本第４の処理シーケンスにも、第１の処理シーケンスにおける処理と同様の処理も含まれている。従って、本第４の処理シーケンスにおいても、第１の処理シーケンスと同様の処理には、同一のステップ符号を付与し、それぞれの処理に関する詳細な説明は省略する。
【０１２６】
まず、ステップＳ１００において、電力情報表示端末３０は、需要家からの契約変更手続き（移転手続き）の指示を受け付け、その契約変更の指示を、ＨＥＭＳコントローラ２０に送信する。そして、ＨＥＭＳコントローラ２０は、電力情報表示端末３０からの契約変更の指示を受信すると、契約変更手続きに係る処理を開始する。
【０１２７】
ここで、ＨＥＭＳコントローラ２０は、ステップＳ２００において、需要家が現在契約している電力会社（Ａ社）に対して契約廃止（解約）の申し込みに係る処理を行い、続くステップＳ３００において、需要家が新たに契約する電力会社（Ｂ社）に対して新規契約の申し込みに係る処理を行う。
【０１２８】
その後、電力会社（Ｂ社）のサーバ装置は、ステップＳ３２１において、新規契約の申し込みを受けた契約における移転前契約料金情報をＨＥＭＳコントローラ２０に送信する。
【０１２９】
続いて、ＨＥＭＳコントローラ２０は、電力会社（Ｂ社）から送信された移転前契約料金情報を受信し、受信した移転前契約料金情報のデータを、データ記憶部２０４に一旦記憶する。そして、ＨＥＭＳコントローラ２０は、移転条件情報に含まれた契約開始期日以降、ステップＳ４００において、需要家に電気料金を通知する処理のための設定を、電力会社（Ａ社）の情報から、電力会社（Ｂ社）の情報に変更する。より具体的には、ＨＥＭＳコントローラ２０は、スマートメーター１０から送信されてきた消費電力量情報のデータを電気料金情報のデータに変換するために用いていた、データ記憶部２０４に記憶している前に契約していた電力会社（Ａ社）の移転前契約料金情報のデータを、データ記憶部２０４に一旦記憶しておいたスマートメーター１１から送信されてきた消費電力量情報のデータを電気料金情報のデータに変換するために用いている電力会社（Ｂ社）の移転前契約料金情報のデータに変更する。なお、ＨＥＭＳコントローラ２０は、第４の処理シーケンスにおいても、第１の処理シーケンスのステップＳ４００と同様に、新たに契約した電力会社（Ｂ社）を識別するための事業者ＩＤや、電力会社（Ｂ社）が需要家を識別するための顧客ＩＤも変更する。
【０１３０】
以降、ＨＥＭＳコントローラ２０は、スマートメーター１１から送信されてきた消費電力量情報のデータを、変更した電力会社（Ｂ社）の移転前契約料金情報のデータに基づいて電気料金情報のデータに変換し、変換したデータを電力情報表示端末３０に送信する。電力情報表示端末３０は、ＨＥＭＳコントローラ２０から受信したデータが示す電力使用量を表示することにより、需要家に提示する。
【０１３１】
このように、第４の処理シーケンスにおいても、第１〜第３の処理シーケンスと同様に、電力管理システム１が、需要家が電力の供給を受ける電力会社を変更する際の手続きと、新たに契約した電力会社（Ｂ社）の料金体系の情報への変更作業とを支援する。
【０１３２】
＜第５の処理シーケンス＞
次に、本実施形態の電力管理システムによって電力会社との契約変更手続き処理を行う、さらに別の処理シーケンスについて説明する。図１４は、本実施形態の電力管理システムによる電力会社の契約変更手続きにおける第５の処理シーケンスを示したシーケンス図である。以下の説明においても、第１の実施形態の電力管理システム１において、需要家が現在契約している電力会社（Ａ社）から、ＨＥＭＳコントローラ２０が提案した電力会社（Ｂ社）に契約を変更する場合の処理シーケンスについて説明する。
【０１３３】
図１４に示した第５の処理シーケンスは、図８に示した第１の処理シーケンスにおいて、新たに契約する電力会社（Ｂ社）に新規契約の申し込みを行う際に、移転前契約料金情報の要求も同時に行う場合の処理シーケンスである。このため、本第５の処理シーケンスにも、第１の処理シーケンスにおける処理と同様の処理も含まれている。従って、本第５の処理シーケンスにおいても、第１の処理シーケンスと同様の処理には、同一のステップ符号を付与し、それぞれの処理に関する詳細な説明は省略する。
【０１３４】
まず、ステップＳ１００において、電力情報表示端末３０は、需要家からの契約変更手続き（移転手続き）の指示を受け付け、その契約変更の指示を、ＨＥＭＳコントローラ２０に送信する。そして、ＨＥＭＳコントローラ２０は、電力情報表示端末３０からの契約変更の指示を受信すると、契約変更手続き処理を開始する。
【０１３５】
続いて、ＨＥＭＳコントローラ２０は、ステップＳ２００において、需要家が現在契約している電力会社（Ａ社）に対して契約廃止（解約）の申し込みに係る処理を行う。
【０１３６】
続いて、ＨＥＭＳコントローラ２０は、ステップＳ３０１において、需要家が新たに契約する電力会社（Ｂ社）に対して、新規契約の申し込みに係る処理を行うと共に、移転前契約料金情報の要求を示す契約料金情報要求情報を電力会社（Ｂ社）のサーバ装置に送信する。
【０１３７】
これにより、電力会社（Ｂ社）のサーバ装置は、ステップＳ３２０において、申し込みを受けた新規契約における移転前契約料金情報をＨＥＭＳコントローラ２０に送信する。
【０１３８】
続いて、ＨＥＭＳコントローラ２０は、電力会社（Ｂ社）のサーバ装置から送信された移転前契約料金情報を受信すると、受信した移転前契約料金情報のデータを、データ記憶部２０４に一旦記憶し、移転条件情報に含まれた契約開始期日以降、ステップＳ４００において、需要家に電気料金を通知する処理のための設定を、電力会社（Ａ社）の情報から、電力会社（Ｂ社）の情報に変更する。なお、第５の処理シーケンスにおけるステップＳ４００の具体的な動作は、第４の処理シーケンスにおけるステップＳ４００の動作と同様であるため、詳細な説明は省略する。
【０１３９】
以降、ＨＥＭＳコントローラ２０は、スマートメーター１１から送信されてきた消費電力量情報のデータを、変更した電力会社（Ｂ社）の移転前契約料金情報のデータに基づいて電気料金情報のデータに変換し、変換したデータを電力情報表示端末３０に送信する。電力情報表示端末３０は、ＨＥＭＳコントローラ２０から受信したデータが示す電力使用量を表示することにより、需要家に提示する。
【０１４０】
このように、第５の処理シーケンスにおいても、第１〜第４の処理シーケンスと同様に、電力管理システム１が、需要家が電力の供給を受ける電力会社を変更する際の手続きと、新たに契約した電力会社（Ｂ社）の料金体系の情報への変更作業とを支援する。
【０１４１】
上記に述べたとおり、このような処理シーケンスによっても、本実施形態の電力管理システムは、需要家からの電力の供給を受ける電力会社の変更の指示に応じて、需要家が電力の供給を受ける電力会社を変更する際の手続きと、新たに契約した電力会社の料金体系の情報への変更作業とを支援する。
【０１４２】
なお、本発明を実施するための形態では、上述したような様々な処理シーケンスを示して説明したが、本実施形態の電力管理システムにおける契約変更手続き処理の処理シーケンスは、上述した第１〜第５の処理シーケンスに限定されるものではない。なお、本発明を実施するための形態では、それぞれの処理における通信手段、通信方法、プロトコルに関して特に規定しない。
【０１４３】
また、本発明を実施するための形態では、主に電力の供給条件として電力会社を変更する場合を例にして説明したが、これに限定されるものではない。つまり、上述した実施形態は、例えば、電力会社を変更せずに料金体系のみを変更する場合に用いられてもよい。
【０１４４】
なお、例えば、図２に示したＨＥＭＳコントローラ２０内の各構成要素による処理を実現するためのプログラムを、コンピュータ読み取り可能な記録媒体に記録して、当該記録媒体に記録されたプログラムをコンピュータシステムに読み込ませ、実行することにより、本実施形態の電力管理システムに係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１４５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【０１４６】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１４７】
１，２，３・・・電力管理システム（電力管理装置，電力管理システム）
１０，１１・・・スマートメーター（消費電力計測装置）
２０・・・ＨＥＭＳコントローラ（電力管理装置）
２０１・・・制御部（電力管理装置）
２０２・・・スマートメーター通信部（消費電力量情報取得部）
２０３・・・インターネット通信部（契約料金情報取得部）
２０４・・・データ記憶部（消費電力量情報取得部，契約料金情報取得部，変換処理部）
２０５・・・データ処理部（変換処理部）
２０６・・・手続き支援部
２０７・・・無線通信部（変換処理部）
２１・・・ＨＥＭＳコントローラ（電力管理装置）
２３・・・電力管理端末（電力管理装置，表示装置，端末装置）
３０・・・電力情報表示端末（表示装置，端末装置）
３１・・・パーソナルコンピュータ（表示装置，端末装置）
４０・・・クラウドサーバ（電力管理装置）
５０・・・インターネット
【図１】
2016077080.tif 000003
【図２】
2016077080.tif 000004
【図３】
2016077080.tif 000005
【図４】
2016077080.tif 000006
【図５】
2016077080.tif 000007
【図６】
2016077080.tif 000008
【図７】
2016077080.tif 000009
【図８】
2016077080.tif 000010
【図９】
2016077080.tif 000011
【図１０】
2016077080.tif 000012
【図１１】
2016077080.tif 000013
【図１２】
2016077080.tif 000014
【図１３】
2016077080.tif 000015
【図１４】
2016077080.tif 000016
【図１５】
2016077080.tif 000017